(57)【要約】  【課題】天板の上の書類等を省力的に且つ簡便に収納し得るデスクを提供する。  【解決手段】天板１と、支持体２と、天板１を通常に使用し得る使用位置Ｕと当該使用位置Ｕから天板１を巾方向に所定距離スライドさせたスライド位置Ｓとの間でスライドさせ得るスライド機構ＳＬとを具備し、使用位置Ｕにおいて天板１が位置付けられる使用領域ＵＡのうち、天板１をスライド位置Ｓまで移動させることにより天板１が使用領域ＵＡから存在しなくなる退避領域ＡＡとし、退避領域ＡＡの下方に、上面を開口させた収納部３を設け、天板１をスライド位置Ｓとした際に収納部３を退避領域ＡＡの上方空間に対して開放させるように構成している。  【選択図】図５
2006136390.tif 000002
【特許請求の範囲】
【請求項１】
天板と、当該天板を支持する支持体と、前記天板を通常に使用し得る使用位置と当該使用位置から前記天板を巾方向に所定距離スライドさせたスライド位置との間で前記天板をスライドさせ得るスライド機構とを具備し、
前記使用位置において該天板が位置付けられる領域を使用領域とするとともに当該使用領域のうち前記天板を前記スライド位置まで移動させることにより該天板が前記使用領域から存在しなくなる領域を退避領域とし、
当該退避領域の下方に、上面を開口させた収納部を設け、前記天板を前記スライド位置とした際に前記収納部を前記退避領域の上方空間に対して開放させるように構成していることを特徴とするデスク。
【請求項２】
前記収納部を、前記退避領域のうち前記通常領域の側縁の下方に近接させて設けている請求項１記載のデスク。
【請求項３】
前記収納部を前記支持体に設けている請求項１又は２記載のデスク。
【請求項４】
前記使用位置において前記スライド機構による天板のスライド動作を禁止し得る施錠部を設けている請求項１、２又は３記載のデスク。
【請求項５】
前記収納部にコンセントを設けている請求項１、２、３又は４記載のデスク。
【請求項６】
前記スライド機構が、前記天板全体をスライドさせるものである請求項１、２、３、４又は５記載のデスク。
【発明の詳細な説明】
【技術分野】
【０００１】
本発明は、使用者の作業上の収納性及びセキュリティを向上させ得るデスクに関するものである。
【背景技術】
【０００２】
デスクの天板で使用されるような書類等を片付ける方法の一つとして、天板下方に設けられている抽斗を手前に引いて当該抽斗に書類等を収納するといった方法がまず挙げられる。
【０００３】
他方、抽斗に書類等を収納する方法の他には、天板を動作させて天板上の書類等を片付けることも考えられる（例えば、特許文献１及び特許文献２参照）。この特許文献１や特許文献２に記載されているテーブルは、天板を使用者から見て手前方向にスライドさせると、抽斗の代わりに、上方に開放された収納部が露出するという構成を備えたものである。さらに、特許文献２に記載されたテーブルは、天板を跳ね上げて傾斜させると他の収納部が露出する構成も有している。またこのような天板を跳ね上げる態様の他に天板を動作させるデスクとして、天板を折り畳み得るライティングデスクと呼ばれるデスクを挙げることができる。
【特許文献１】特許第３５４７２５２号公報
【特許文献２】特許第２７８８４１９号公報
【発明の開示】
【発明が解決しようとする課題】
【０００４】
しかしながら、上述したような天板の上面に置かれた書類等を抽斗に収納する際の、天板から抽斗へ書類等を移動させる距離は意外と大きいものである。一方、抽斗を引く動作を行う際の使用者がとる動作に関しては、デスクワークを行っている姿勢から使用者の全身或いは上半身のみを天板から後退させて、その後に抽斗を引くといった大きな姿勢変更を伴わせるものとなっている。
【０００５】
また、上述した天板を前後方向にスライドさせ得るテーブルにおいても、天板を前後方向にスライドさせる際に上述した抽斗を引く動作と同様或いは類似した姿勢変更動作を行うといった点で抽斗の場合と共通している。
【０００６】
他方、上述した天板を跳ね上げる態様のデスクや天板を折り畳み得るライティングデスクにおいても、天板が上下動を伴って動いてしまうものとなるため、使用者に大きな動作並びに姿勢変更を伴わせるものである。
【０００７】
本発明は、このような不具合に着目したものであり、天板の上の書類等を省力的且つ簡便に収納し得るデスクを提供する。
【課題を解決するための手段】
【０００８】
本発明は、このような目的を達成するために、次のような手段を講じたものである。すなわち、本発明に係るデスクは、天板と、当該天板を支持する支持体と、前記天板を通常に使用し得る使用位置と当該使用位置から前記天板を巾方向に所定距離スライドさせたスライド位置との間で前記天板をスライドさせ得るスライド機構とを具備し、前記使用位置において該天板が位置付けられる領域を使用領域とするとともに当該使用領域のうち前記天板を前記スライド位置まで移動させることにより該天板が前記使用領域から存在しなくなる領域を退避領域とし、
当該退避領域の下方に、上面を開口させた収納部を設け、前記天板を前記スライド位置とした際に前記収納部を前記退避領域の上方空間に対して開放させるように構成していることを特徴としている。ここでスライド機構は、天板の一部をスライドさせるものであっても天板全体をスライドさせるものであっても良い。
【０００９】
このようなものであれば、天板が巾方向にスライドするため、抽斗に書類等を収納する場合や天板を前後にスライドさせて書類等を収納する場合とは異なり、使用者が前後に姿勢を変更することを有効に回避することができる。また、天板を通常に使用する使用位置において天板が位置していた使用領域の一部に退避領域を設け、当該退避領域の下方に収納部を設けているため、書類等を収納する際の移動距離が抽斗と比較して短くすることができるので、使用者が天板をスライドさせて書類等を収納部に収納する動作並びに姿勢変更を小さくして簡便に書類等を収納し得るものとすることができる。さらに、天板をスライドさせていない使用位置において収納部は天板に覆われて目立たないため、収納部はその存在自体が気付かれ難いものとなり、セキュリティ上好適なものとなる。
【００１０】
天板をスライドさせるスライド距離を最小限とするためには、収納部を、退避領域のうち前記通常領域の側縁の下方に近接させて設けることが望ましい。また収納部の存在を目立たないものとして収納部のセキュリティ性を向上させるためには、収納部を、支持体に設けることが好ましい。
【００１１】
天板を使用位置とした状態で使用する際に不意に天板がスライドしてしまうことを好適に防止するためには、使用位置においてスライド機構による天板のスライド動作を禁止し得る施錠部を設けることが望ましい。
【００１２】
また、収納部にコンセントを設けているものであれば、付加的に電気機器を使用する場合やパソコンをＬＡＮ回線に接続する必要が生じた場合等に、電源コンセントや情報コンセントといったコンセントを好適に使用することができる。ここでコンセントとは電源コンセントや情報コンセントに限られず、例えばビデオケーブルやマイク端子など、音や映像等の送受信を行い得るものも含まれる。
【００１３】
さらに、天板の一部のみをスライドさせて収納部を露出させるものであれば、天板においてスライドする部位とスライドしない部位とが形成され、その境界が収納部の存在を示唆するものとなり得るが、スライド機構を、前記天板全体をスライドさせるものとすれば、天板においてスライドする部位とスライドしない部位との境界が形成されることが無い。そのため天板を通常位置とした状態において収納部の存在が外観上さらに気付かれ難いものとすることができる。また、天板自体にスライドする部位とスライドしない部位との境界が形成されないので、天板の上面に前記境界による凹凸が形成されずに天板の上面全体において好適に作業を行い得るものとすることができる。
【発明の効果】
【００１４】
本発明によれば、天板を巾方向にスライドさせるため、天板を前後方向、特に使用者にとって手前側にスライドさせる場合とは異なり、天板をスライドさせる際に使用者が前後に姿勢を変更する必要がない。また、スライドさせる前の状態すなわち使用位置において天板が位置していた使用領域の一部に退避領域を設け、当該退避領域の下方に収納部を設けて書類等を収納するため、収納する際の書類等の移動距離を短縮し得るものとなる。すなわち、使用者が書類等を収納部に収納する動作並びに姿勢変更を最小とすることができる。また、天板をスライドさせていない使用位置とした状態において、収納部は天板に覆われて目立たないため、収納部の存在自体が他から気付かれ難く、書類等を保管する際のセキュリティが高いものとすることが可能となる。
【発明を実施するための最良の形態】
【００１５】
以下、本発明の一実施の形態について図面を参照して説明する。
【００１６】
図１〜図７は、オフィスにおいて使用者が執務を好適に行い得るデスクＤを示している。このデスクＤは、天板１と、当該天板１を支持する支持体２とを主に具備しているものである。
【００１７】
ここで本実施形態に係るデスクＤは、天板１を後述する使用位置Ｕから後述するスライド位置Ｓ位置までスライドさせ得る後述するスライド機構ＳＬを有するものである。また、当該スライド機構ＳＬによって天板１をスライド位置Ｓにまでスライドさせた際に、上方に開口する後述する収納部３が露出するように構成しているものである（図５，図６，図７）。
【００１８】
以下、デスクＤの具体的な構成について詳述する。
【００１９】
天板１は、図１及び図２に示すように、その上面１ａが、使用者が個人の執務を行うに足る面積を有するものである。また、上面１ａのうち使用者が執務をおもに行うと思われる使用縁１ｂを含む天板１の中央部分にレザーマット１１を取り付けている。なお、この使用縁１ｂとは奥行き方向反対側を反使用縁１ｃとし、これら使用縁１ｂと反使用縁１ｃとの両側端をそれぞれ結ぶ縁部を側縁１ｄ、１ｅとしている。
【００２０】
また天板１は、図２に係るＡ−Ａ断面図である図３に示すように、下面１ｆには支持体２に好適に接するための下面板１２を天板１の下面１ｆ略全域を覆うように取り付けている。また、当該下面板１２には、図２及び図３に示すように天板１の巾方向の中央部分且つ使用縁１ｂ及び反使用縁１ｃよりの位置に巾方向に所定寸法延びる一対の取付板１３、１４を設けている。そして当該取付板１３、１４をサスペンションレールＲを介して支持体２にスライド可能に取り付けるのであるが、その点については後述する。
【００２１】
支持体２は、図１、図２及び図３に示すように、袖部２１と、パネル２２と、一対の側板２３、２４と、内パネル２５とを主に具備するものである。
【００２２】
袖部２１は、図示例では一枚の鏡板２１１とを有し、該鏡板２１１に側方から手指を掛けて前後方向にスライドさせることで、側方に開口したファイルボックス（図示省略）が前方に引き出される構成のものを採用している。またこの袖部２１には、鏡板２１１を少ない力で引き出し得るように補助輪２１１ａを設けている。また、当該補助輪２１１ａを設けることにより、鏡板２１１を引き出した際に一度に引き出されるファイルボックスの重量を好適に支持得るようになっている。さらに、鏡板２１１の図示右上方には鏡板２１１の引き出し動作を禁止し得る施錠部２１２を設けている。ここで袖部２１は図示右側の側縁１ｅ側に設けられているが、勿論左側の側縁１ｄであっても、或いは両側縁１ｄ，１ｅに設けられるものであっても良い。さらに本実施形態において、当該袖部２１は支持体２に据え付けられているものとなっているが、支持体２とは別体に床上を移動可能に設けたワゴンとしても良い。
【００２３】
パネル２２は、天板１より上側に位置しデスクトップパネルとして機能する上部２２１と、天板１よりも下方に位置し幕板として機能する下部２２２とによって主に構成されているものである。上部２２１には、例えばペーパートレーなどのハンギングオプションを取り付けるための水平方向に延びる金属製のハンギングレールｈｇが上下方向に２本取り付けられている。一方、下部２２２は天板１の反使用縁１ｃ側から下肢空間を好適に遮蔽し得るものとなっている。
【００２４】
一対の側板２３、２４は、天板１の両側から下肢空間を遮蔽することにより、デスクＤは使用縁１１ｂを除く三方向から下肢空間を好適に遮蔽し得るものとなっている。
【００２５】
そして袖部２１及び、パネル２２及び一対の側板２３、２４の下方には複数のアジャスタ２１ａｊ、２２ａｊ（図示せず）、２３ａｊ及び２４ａｊ（図示せず）がそれぞれ設けられることにより、デスクＤ全体を支持する脚としての役割をも果たしている。
【００２６】
また支持体２は、図３に示すように、上述したパネル２２の内側に介在板２２３を介して内パネル２５を有している。また側板２３、２４間において使用縁１ｂよりと反使用縁１ｃよりの最上部には一対の横架板２６、２７を設けており、一対の側板２３，２４及び一対の横架板２６，２７との上端面が天板１の下面板１２の各側縁に沿った矩形状の枠を形成し、当該矩形状の枠が後述する通常位置Ｕにおいて下面板１２と当接することにより支持体２が天板１を好適に支持しうる態様を実現している。
【００２７】
そして本実施形態に係るデスクＤは、天板１を通常に使用し得る図１、図２及び図４に示す使用位置Ｕから天板１を巾方向にスライドさせて図５、図６及び図７に示すスライド位置Ｓとし得るスライド機構ＳＬを構成している。以下、このスライド機構ＳＬについて説明する。
【００２８】
スライド機構ＳＬは図３に示すように、天板１の取付板１３，１４と、支持体２の横架板２６，２７との間にサスペンションレールＲを介在させて取り付けることにより、天板１全体をスライド可能に支持し得るものである。ここでサスペンションレールＲそれ自体は周知のものであって、図６においては基端レールＲａ、中間レールＲｂ及び先端レールＲｃを具備し、テレスコピックに腕を伸ばして天板全体を好適にスライドさせ得る構造を実現しているものである。なお、このような構成は一般的なものであるため、ここにおける詳細な説明は省略するが、本実施形態では一対の取付板１３，１４の内側に基端レールＲａを取り付けるとともに、一対の横架材２６，２７の巾方向略中央部に先端レールＲｃを取り付けることにより、天板１が使用位置Ｕに位置する図２の位置と、図６に示すスライド位置Ｓとの間でスライドし得るように構成している。また、通常位置Ｕにおいて袖部２１に設けられた施錠部２１２を操作することによって袖部２１の鏡板２１１の引き出し動作と天板１のスライドとが一括して禁止されるように構成している。
【００２９】
なお、本実施形態に係るデスクＤにおいて、天板１を通常位置Ｕ及びスライド位置Ｓに正確に位置決めする機構等が他にも設けられているが、ここにおける説明は省略する。
【００３０】
しかして、図５，図６及び図７に想像線で示すように、天板１を使用位置Ｕとした状態において天板１が位置付けられる領域を使用領域ＵＡとするとともに、この使用領域ＵＡのうち天板１をスライド位置Ｓまで移動させることによって天板１が使用領域ＵＡから存在しなくなる領域を退避領域ＡＡとしている。
【００３１】
そして、本実施形態に係るデスクＤは上述した退避領域ＡＡの下方に、上面を開口させた収納部３を設けている。そして、天板１をスライド位置Ｕとした際にはこの収納部３を退避領域ＡＡの上方空間に対して開放し、天板１の上方から収納部３へ書類等の出し入れが好適に行い得るようになっている。
【００３２】
以下、収納部３の具体的な構成について詳述する。
【００３３】
収納部３は、図５及び図７に示すように、通常領域ＵＡにおける天板１の側縁１ｄが位置する箇所の下方において、横架板２６，２７間に設けられた書類収納庫３ａと、書類収納庫３ａの反使用縁１ｃ側に内パネル２５及び横架板２７を介して隣接するコンセント部３ｂとを具備している。
【００３４】
書類収納庫３ａは図７に示すように、横架板２６，２７間における側板２３沿いの位置及び当該側板２３から所定の巾寸法を介した箇所に内側板３１、３２を取り付け、内側板３１，３２、横架板２６，２７及びによって構成される矩形領域に底板３３を取り付けることにより、例えばＡ４規格の大きさの書類等を平積みして収納し得るスペースを形成したものである。また、底板３３には書類等の出し入れがし易いように窪み３３ａを設けている。なお、本実施形態では書類収納庫３ａの使用縁１ｂ側にペントレーｐｔを取り付けており、書類等と同時に筆記具も収納し易いものとしている。
【００３５】
コンセント部３ｂは図７に示すように、パネル２２の下部２２２と内パネル２５との間に側板２３から所定の巾寸法を介して仕切板３４を取り付け、書類収納庫３ａから内パネル２５及び横架板２７を介した反使用縁１ｃ側に設けた空間を利用して設けられたものであり、パネル２２と内パネル２５との間に介在する介在板２２３にコンセントユニット３ｂ１を２つ並べて配置したものである。そして当該コンセントユニット３ｂ１には、例えば家庭用１００Ｖ電源に対応し得るコンセントたる電源コンセント３ｂ２と、例えばＬＡＮケーブルを接続し得るモジュラージャック状のコンセントたる情報コンセント３ｂ３とを１つずつ配置している。また、コンセント部３ｂ下方のパネル２２と内パネル２５との間の空間は電源ケーブル並びにＬＡＮケーブルを配線し得る配線空間ＬＡとしている。
【００３６】
以上のように、本実施形態に係るデスクＤは、退避領域ＡＡの下方に、上面を開口させた収納部３を設け、天板１をスライド位置Ｓとした際に収納部３を退避領域ＡＡの上方空間に対して開放させるように構成していることを特徴としている。
【００３７】
このようなものであれば、天板１を巾方向にスライドさせるため、例えば抽斗を引いて書類等を収納する場合や天板を前後にスライドさせる場合とは異なり使用者が前後に姿勢を変更することを有効に回避しているとともに、天板１を通常に使用する使用位置Ｕにおいて天板１が位置していた退避領域ＡＡの下方に収納部３を設けているため、書類等を収納する際の移動距離が抽斗に収納する場合と比較して短くすることができるので、使用者が天板１をスライドさせて書類等を収納部３に収納する動作並びに姿勢変更を小さくして簡便に書類等を収納し得るものとすることができる。また、天板３をスライドさせていない使用位置Ｕにおいて収納部３は天板１に覆われて目立たないため、収納部３に書類等の収納物を保管しておく際の安全性を向上させている。
【００３８】
また収納部３を、退避領域ＡＡのうち通常領域ＵＡ、すなわち通常位置Ｕにおける天板１の側縁１ｄの下方に近接させて設けているので、収納部３の上面を露出させるために天板１をスライドさせるスライド距離を最小限に抑えたものとしている。さらに収納部３を支持体２に設けることにより、収納部３の存在を目立たないものとしてセキュリティ性を向上させたものとしている。
【００３９】
さらに、使用位置Ｕにおいてスライド機構ＳＬによる天板１のスライド動作を禁止し得る施錠部２１２を設けているので、使用位置Ｕにおいて使用中に不意に天板１がスライドしてしまうことを好適に防止し得るものとしている。また、本実施形態において施錠部２１２を袖部２１の鏡板２１１に設けて袖部２１の施錠と天板１のスライド禁止とを一括に行うものとしているので、施錠部２１２の存在は収納部３の存在そのものを直接的に指し示すものとはならず、収納部３の存在を目立たないものとしてセキュリティ上好適なものとしている。
【００４０】
加えて、収納部３にコンセントたる電源コンセント３ｂ２並びに情報コンセント３ｂ３を設けているので、付加的に電気機器を接続する場合やパソコンをＬＡＮ回線に接続する必要が生じた場合等に当該コンセント部を好適に使用することができる。
【００４１】
ここで、スライド機構ＳＬが天板１の一部のみをスライドさせて収納部３を露出させるものであれば天板１においてスライドする部位とスライドしない部位とが形成されてしまい、その境界が収納部３の存在を示唆するものとなり得るが、本実施形態ではスライド機構ＳＬが天板１全体をスライドさせるものとしているので、天板１にスライドする部位とスライドしない部位との境界が形成されることが無く、収納部３の存在を気付かれ難く構成して収納部３に書類等の収納物を保管しておく際の安全性を向上させている。また、前記境界が形成されないので、天板１上に前記境界による凹凸が形成されず、デスクＤは天板１の上面１ａ全面において好適に作業を行い得るものとなっている。
【００４２】
以上、本発明の実施形態について説明したが、各部の具体的な構成は、上述した実施形態のみに限定されるものではなく、本発明の趣旨を逸脱しない範囲で種々変形が可能である。
【００４３】
例えば、上述した実施形態において天板を図示右方向にスライドさせることによりスライド位置となるものとしたが、左方向にスライドさせる態様としても良い。その場合は図示右側の側縁沿いに収納部を設ける構成とすればよい。また勿論、支持体の両側縁に収納部をそれぞれ設け、天板を左右両方向にスライド可能に構成したものとしてもよい。
【００４４】
また例えば、上述したスライド機構に、天板を前記スライド位置で仮保持させる仮保持部を設けることにより、スライド状態としても使用者が天板状で好適に執務を行い得るようにしてもよい。さらに、上記実施形態では収納部を支持体に設けたものとしているが、収納部を支持体とは別体のものとしたり、支持体に対して着脱可能なものとしてもよい。また、スライド機構によって天板の一部がスライドするようなものであっても良い。
【００４５】
その他、各部の具体的構成についても上記実施形態に限られるものではなく、本発明の趣旨を逸脱しない範囲で種々変形が可能である。
【図面の簡単な説明】
【００４６】
【図１】本発明の一実施形態に係るデスクを示す斜視図。
【図２】。同実施形態に係るデスクを示す正面図。
【図３】図２に係るＡ−Ａ断面図。
【図４】同実施形態に係るデスクを示す上面図。
【図５】同実施形態に係る天板をスライド位置とした態様を示す斜視図。
【図６】同正面図。
【図７】同上面図。
【符号の説明】
【００４７】
１…天板
１ｄ…側縁
２…支持体
２１２…施錠部
３…収納部
３ｂ２…コンセント（電源コンセント）
３ｂ３…コンセント（情報コンセント）
Ｄ…デスク
Ｕ…使用位置
ＵＡ…使用領域
ＡＡ…退避領域
Ｓ…スライド位置
ＳＬ…スライド機構
【図１】
2006136390.tif 000003
【図２】
2006136390.tif 000004
【図３】
2006136390.tif 000005
【図４】
2006136390.tif 000006
【図５】
2006136390.tif 000007
【図６】
2006136390.tif 000008
【図７】
2006136390.tif 000009